(57)【要約】【課題】表示パネルを見ながら撮影を実行する際、撮影で取得した画像を容易に確認できる撮影装置及び撮影システムを提供する。【解決手段】証明写真撮影装置２には表示パネル７が備えられている。撮影を開始すると表示パネル７にはスルー画像が表示される。シャッタレリーズに応答してイメージセンサ２２からの画像信号を基に画像データの形成が開始される。表示制御回路３４はシャッタレリーズから第１の期間開始前まで表示パネル７をミュートさせる。表示制御回路３４は表示パネル７を一定時間ミュートさせた後プレビュー画像を表示させる。第１の期間プレビュー画像を表示させた後、表示制御回路３４は表示パネル７をミュートさせる。第２の期間ミュートさせた後、表示制御回路３４は表示パネル７にスルー画像を表示させ、次の撮影に備える。【選択図】        図２
2006217466.tif 000002
【特許請求の範囲】
【請求項１】
イメージセンサからの画像信号を基に所定時間ごとに更新されるスルー画像を表示パネルに表示し、シャッタレリーズに応じてイメージセンサからの画像信号を基に画像データの形成を開始する撮影装置において、
前記画像データ形成終了後の第１の期間と、前記第１の期間に続く第２の期間とをそれぞれ計時する計時手段と、
前記計時手段からのカウント信号に応じて前記第１の期間に前記画像データに基づいた静止画像を表示パネルに表示させ、前記第２の期間に表示パネルをミュートさせる表示制御手段とを設けたことを特徴とする撮影装置。
【請求項２】
前記表示制御手段は前記シャッタレリーズ後から前記第１の期間の開始前まで前記表示パネルをミュートさせることを特徴とする請求項１記載の撮影装置。
【請求項３】
前記スルー画像は１画面分のフレーム画像が所定のフレームレートで表示される画像であり、前記表示制御手段は前記シャッタレリーズ後から前記第１の期間の開始前までシャッタレリーズ時のフレーム画像を表示パネルに停止表示させることを特徴とする請求項１記載の撮影装置。
【請求項４】
前記第２の期間中に音声を出力させる音声出力制御手段を設けたことを特徴とする請求項１ないし３いずれか１つ記載の撮影装置。
【請求項５】
前記第１の期間と前記第２の期間とのうちの少なくともどちらか一方の期間の設定を変更するための設定変更手段を設けたことを特徴とする請求項１ないし４いずれか１つ記載の撮影装置。
【請求項６】
前記静止画像の表示中もしくは前記表示パネルのミュート中にユーザによる操作入力が検知された場合、前記表示制御手段は当該操作が無効である旨を示す警告を前記表示パネルに表示することを特徴とする請求項１ないし５いずれか１つ記載の撮影装置。
【請求項７】
イメージセンサからの画像信号を基に所定時間ごとに更新されるスルー画像を表示パネルに表示し、シャッタレリーズに応じてイメージセンサからの画像信号を基に画像データの形成を開始する撮影装置において、
前記画像データ形成終了後の第１の期間と、前記第１の期間に続く第２の期間とをそれぞれ計時する計時手段と、
前記計時手段からのカウント信号に応じて前記第１の期間に前記画像データに基づいた静止画像を表示パネルに表示させ、前記第２の期間に単色で構成された単色画像を表示パネルに表示させる表示制御手段とを設けたことを特徴とする撮影装置。
【請求項８】
前記単色画像の色を設定するための表示色設定手段を設けたことを特徴とする請求項７記載の撮影装置。
【請求項９】
シャッタレリーズに応じて画像データの形成を開始するカメラ装置と、このカメラ装置から入力される画像データに応じて画像を表示する画像表示装置とを有する撮影システムにおいて、
前記画像データ形成終了後の第１の期間と、前記第１の期間に続く第２の期間とをそれぞれ計時する計時手段と、
前記計時手段からのカウント信号に応じて前記第１の期間に前記画像データに基づいた静止画像を前記画像表示装置に表示させ、前記第１の期間に続く第２の期間に前記画像表示装置にミュート表示させる表示制御手段とを設けたことを特徴とする撮影システム。
【請求項１０】
前記画像表示装置はシャッタレリーズ後から前記第１の期間の開始前までミュート表示することを特徴とする請求項９記載の撮影システム。
【発明の詳細な説明】
【技術分野】
【０００１】
本発明は表示パネルを備えた撮影装置に関し、さらに詳しくは表示パネルに撮影で取得した画像を表示する撮影装置に関するものである。
【背景技術】
【０００２】
現在、イメージセンサからの画像信号を処理して画像データを取得する撮影装置が様々な分野で普及している。例えば、ユーザが簡単に持ち運びできるようにコンパクトに設計されたデジタルカメラや、電話機能を備えたカメラ付き携帯電話の分野では、利便性を高めるために様々な工夫が試みられている。
【０００３】
利便性を高めるため画像を表示するための表示パネルが備えられた撮影装置が考案され、この表示パネルに撮影で取得した画像が表示されることでユーザは画像の出来を確認することができた。例えば特許文献１の発明では、連続撮影した画像の数に応じて表示パネルを複数の表示エリアに分割し、それぞれの表示エリアに連続撮影で取得された画像を表示する撮影装置が示されている。ところで、セルフで証明用の写真などを撮影できる撮影装置にも表示パネルが備えられている。このような撮影装置には、例えば、自分を撮影するように配置されたイメージセンサ、イメージセンサからの電気信号を処理して画像データを形成する信号処理回路、信号処理回路で形成された画像データを基にラスタイメージを作成して印刷するプリンタなどが備えられており、これによって撮影した自分自身の画像が印刷された印刷用紙をその場で取得することができた。
【特許文献１】特開２０００−２８７１０６号公報
【発明の開示】
【発明が解決しようとする課題】
【０００４】
ところで、撮影装置に備えられた表示パネルを見ながら撮影を実行する場合、表示パネルには、イメージセンサからの画像信号を基に形成された１画面分のフレーム画像が一定時間ごとに更新されるスルー画像が表示され、このスルー画像の表示中に行われたシャッタレリーズ操作に応じてイメージセンサからの信号を基に画像データの形成が開始される。画像データの形成が開始された後、表示パネルにはレリーズ操作時のフレーム画像が停止表示されたフリーズ画像や単色で構成された単色画像が一定期間表示され、この後にレリーズ操作に応じて生成された画像データを圧縮処理した静止画像が表示パネルに表示される。続けて２回目の撮影が行われる場合では、表示パネルは静止画像から再びスルー画像に切り替えられる。
【０００５】
しかしながら、スルー画像が表示された表示パネルに、シャッタレリーズ操作に応じてフリーズ画像もしくは単色画像が一定期間表示され、次いでシャッタレリーズ操作に応答して取得された画像データが圧縮処理された静止画像が表示される際、例えば、ユーザがほぼ動かずに位置していた場合では、フリーズ画像から静止画像に切り替わったことに気付かない場合があり、このためユーザが撮影で取得した画像の出来を確認することが出来ない場合があった。また、続けて撮影を行う場合では、表示パネルは静止画像を一定期間表示した後に次の撮影に備えてスルー画像を表示するため、ユーザはいつ１回目の撮影が終了し、２回目の撮影が開始されたのかを識別することが困難な場合があった。
【０００６】
本発明は上記の事情に鑑みてなされたものであり、その目的は、撮影で取得した静止画像を容易に確認できる撮影装置及び撮影システムを提供することにある。
【課題を解決するための手段】
【０００７】
上記の目的を達成するために、本発明の撮影装置では、イメージセンサからの画像信号を基に所定時間ごとに更新されるスルー画像を表示パネルに表示し、シャッタレリーズに応じてイメージセンサからの画像信号を基に画像データの形成を開始する撮影装置であって、画像データ形成終了後の第１の期間と、この第１の期間に続く第２の期間とをそれぞれ計時する計時手段と、計時手段からのカウント信号に応じて第１の期間に画像データに基づいた静止画像を表示パネルに表示させ、第２の期間に表示パネルをミュートさせる表示制御手段とを設けたことを特徴とする。
【０００８】
また、表示制御手段はシャッタレリーズ後から第１の期間の開始前まで表示パネルをミュートさせることを特徴とする。
【０００９】
また、スルー画像は１画面分のフレーム画像が所定のフレームレートで表示される画像であり、表示制御手段は前記シャッタレリーズ後から第１の期間の開始前までシャッタレリーズ時のフレーム画像を表示パネルに停止表示させることを特徴とする。
【００１０】
また、第２の期間中に音声を出力させる音声出力制御手段を設けたことを特徴とする。
【００１１】
また、第１の期間と第２の期間とのうちの少なくともどちらか一方の期間の設定を変更するための設定変更手段を設けたことを特徴とする。
【００１２】
また、静止画像の表示中もしくは表示パネルのミュート中にユーザによる操作入力が検知された場合、表示制御手段は当該操作が無効である旨を示す警告を表示パネルに表示することを特徴とする。
【００１３】
また、イメージセンサからの画像信号を基に所定時間ごとに更新されるスルー画像を表示パネルに表示し、シャッタレリーズに応じてイメージセンサからの画像信号を基に画像データの形成を開始する撮影装置であって、画像データ形成終了後の第１の期間と、第１の期間に続く第２の期間とをそれぞれ計時する計時手段と、計時手段からのカウント信号に応じて第１の期間に前記画像データに基づいた静止画像を表示パネルに表示させ、第２の期間に単色で構成された単色画像を表示パネルに表示させる表示制御手段とを設けたことを特徴とする
【００１４】
また、単色画像の色を設定するための表示色設定手段を設けたことを特徴とする。
【００１５】
また、本発明の撮影システムでは、シャッタレリーズに応じて画像データの形成を開始するカメラ装置と、このカメラ装置から入力される画像データに応じて画像を表示する画像表示装置とを有し、画像データ形成終了後の第１の期間と、第１の期間に続く第２の期間とをそれぞれ計時する計時手段と、計時手段からのカウント信号に応じて第１の期間に前記画像データに基づいた静止画像を画像表示装置に表示させ、第１の期間に続く第２の期間に画像表示装置にミュート表示させる表示制御手段とを設けたことを特徴とする
【００１６】
また、表示制御手段は画像表示装置をシャッタレリーズ後から第１の期間の開始前までミュート表示させることを特徴とする。
【発明の効果】
【００１７】
本発明の撮影装置によれば、画像データ形成終了後の第１の期間と、この第１の期間に続く第２の期間とをそれぞれ計時する計時手段と、計時手段からのカウント信号に応じて第１の期間に画像データに基づいた静止画像を表示パネルに表示させ、第２の期間に表示パネルをミュートさせる表示制御手段とを設けたことにより、表示パネルは第１の期間に画像データを基に静止画像を表示し第２の期間でミュートされるため、第１の期間で表示される静止画像が強調され、このためユーザは静止画像を容易に確認することができ、利便性の高い撮影装置を提供することができる。
【００１８】
また、表示制御手段はシャッタレリーズ後から第１の期間の開始前まで表示パネルをミュートさせることにより、第１の期間で表示される静止画像がさらに強調され、ユーザは静止画像をより確認しやすくなる。
【００１９】
また、スルー画像は１画面分のフレーム画像が所定のフレームレートで表示される画像であり、表示制御手段は前記シャッタレリーズ後から第１の期間の開始前までシャッタレリーズ時のフレーム画像を表示パネルに停止表示させることにより、第１の期間で表示される静止画像が強調され、ユーザは静止画像をさらに確認しやすくなる。
【００２０】
また、第２の期間中に音声を出力させる音声出力制御手段を設けたことにより、表示パネルのミュートを強調することができる。また、シャッタレリーズに応じた一連の処理が終了することをユーザに告知することができ、利便性を高めることができる。
【００２１】
また、第１の期間と第２の期間とのうちの少なくともどちらか一方の期間の設定を変更するための設定変更手段を設けたことにより、撮影装置の管理者は第１、第２の期間をそれぞれ自在に設定して静止画像を強調することが可能となり、より利便性の高い撮影装置を提供することができる。
【００２２】
また、静止画像の表示中もしくは表示パネルのミュート中にユーザによる操作入力が検知された場合、表示制御手段は当該操作が無効である旨を示す警告を表示パネルに表示することにより、利便性の高い撮影装置を提供することができる。
【００２３】
また、画像データ形成終了後の第１の期間と、第１の期間に続く第２の期間とをそれぞれ計時する計時手段と、計時手段からのカウント信号に応じて第１の期間に前記画像データに基づいた静止画像を表示パネルに表示させ、第２の期間に単色で構成された単色画像を表示パネルに表示させる表示制御手段とを設けたことにより、表示パネルは第１の期間に画像データを基に静止画像を表示し第２の期間に単色画像を表示するため、第１の期間で表示される静止画像が強調され、このためユーザは静止画像を容易に確認することができ、利便性の高い撮影装置を提供することができる。
【００２４】
また、単色画像の色を設定するための表示色設定手段を設けたことにより、より利便性の高い撮影装置を提供することができる。
【００２５】
本発明の撮影システムによれば、シャッタレリーズに応じて画像データの形成を開始するカメラ装置と、このカメラ装置から入力される画像データに応じて画像を表示する画像表示装置とを有し、画像データ形成終了後の第１の期間と、第１の期間に続く第２の期間とをそれぞれ計時する計時手段と、計時手段からのカウント信号に応じて第１の期間に前記画像データに基づいた静止画像を画像表示装置に表示させ、第１の期間に続く第２の期間に画像表示装置にミュート表示させる表示制御手段とを設けたことにより、第１の期間で表示される静止画像が強調され、ユーザは静止画像を容易に確認することができ、利便性の高い撮影システムを提供することができる。
【００２６】
また、表示制御手段はシャッタレリーズ後から第１の期間の開始前まで画像表示装置をミュート表示させることにより、第１の期間で表示される静止画像がさらに強調され、ユーザは静止画像をより確認しやすくなる。
【発明を実施するための最良の形態】
【００２７】
以下、本発明の第１実施形態について説明する。図１に本発明の撮影装置である証明写真撮影装置の部分的な斜視図を示す。証明写真撮影装置２にはユーザを収容するための収容室４が形成され、ユーザが動かないように座るための椅子５がセットされている。椅子５に座ったユーザと正対するように、収容室４内には画像やガイド文を表示する表示パネル７が設けられ、表示パネル７の下には撮影レンズ９が露呈している。撮影レンズ９の下方には十字操作ボタン１２やシャッタレリーズボタン１３が配置されている。それぞれの操作ボタンのさらに下方にはユーザを照明するための下部照明部１６が設けられ、表示パネル７の上方には上部照明部１５が設けられている。収容室４の外には印刷された証明写真を受け取るための取り出し口１７が設けられている。
【００２８】
図２に証明写真撮影装置２の電気的な構成を概略的に示すブロック図を示す。デジタルカメラ２にはレンズ鏡筒２０、ＣＣＤイメージセンサ２２、信号処理回路２４、ＳＤＲＡＭ２６、照明制御回路２８、ＡＦ検出回路３０、画像処理回路３２、表示制御手段である表示制御回路３４、計時手段であるタイマ回路３５、音声出力制御回路４０、圧縮／伸張エンジン４５、プリントエンジン４７、外部インターフェース（以降、外部Ｉ／Ｆと言う）４９、設定変更手段である設定変更操作部５０、ＲＯＭ５１、及びＣＰＵ５３などが備えられている。
【００２９】
レンズ鏡筒２０には撮影レンズ９が備えられ、撮影レンズ９はＣＣＤイメージセンサ２２の受光エリア上に光束を結像させる。レンズ鏡筒２０にはレンズを光軸方向に移動させるためのモータやこのモータの駆動を制御するためのモータコントローラが備えられている。ＣＣＤイメージセンサ２２は、例えば各フィールド内の水平方向に並んだ２画素のうちどちらか一方から信号が読み出されるインターレース方式のものが用いられ、信号が読み出されるタイミングは図示しないタイミングジェネレータによって制御されている。タイミングジェネレータから供給される駆動パルスに応じて各画素から取り出された電気信号は信号処理回路２４に入力される。
【００３０】
信号処理回路２４には相関二重サンプリング回路、増幅回路、Ａ／Ｄ変換回路等が含まれており、ＣＣＤイメージセンサ２２から入力される電気信号がデジタル処理されたＣＣＤ−ＲＡＷデータがここで形成される。信号処理回路２４で形成されたＣＣＤ−ＲＡＷデータはＳＤＲＡＭ２６や表示制御回路３４に順次入力される。ＳＤＲＡＭ２６ではＣＣＤ−ＲＡＷデータを一時的に蓄積する。
【００３１】
画像処理回路３２にはＳＤＲＡＭ２６からＣＣＤ―ＲＡＷデータが順次入力され、シャープネス、ホワイトバランス、カラーバランス、明るさ等が補正され、所定のデータ形式に沿うように画像データが形成される。形成された画像データはＳＤＲＡＭ２６に一時的に記憶される。
【００３２】
表示制御回路３４には、図示は省略するがＦＩＦＯ（ First In First Out ）メモリやビデオエンコーダが備えられており、信号処理回路２４からのＣＣＤ―ＲＡＷデータがＦＩＦＯメモリに逐次入力される。ビデオエンコーダではＦＩＦＯメモリに記憶されたＣＣＤ―ＲＡＷデータを読み出して１画面分のフレーム画像データが構成され、このフレーム画像データを基に表示パネル７が駆動される。フレーム画像データは一定時間ごとに構成されるため、表示パネル７にはフレーム画像が一定時間ごとに新しく切換表示されるスルー画像が示される。
【００３３】
ＡＦ検出回路３０では被写体のコントラストを評価するための評価式に従って合焦状態が判定される。合焦状態の判定に応じた判定信号がＡＦ検出回路３０からレンズ鏡筒２０に入力され、この判定信号に応じてレンズ鏡筒２０に組み込まれたモータが作動し、被写体にピントが合わせられる。
【００３４】
照明制御回路２８は上部照明灯１５と下部照明灯１６との点灯を制御している。例えば、照明制御回路２８ではＣＣＤイメージセンサ２２からの画像信号を基に明度の分布を検知し、この検知された明度分布から上部照明灯１５と下部照明灯１６との発光強度をコントロールする。これにより、良好な被写体画像を取得することができる。
【００３５】
音声出力制御回路４０はスピーカ５６の駆動を制御している。ＲＯＭ５１に格納された音声データが音声出力制御回路４０に読み出され、音声出力制御回路４０はこの音声データを基にスピーカ５６を駆動する。例えば金銭が投入された場合には、撮影をスムーズに進めるための音声ガイドがスピーカ５６から出力され、その他の場合でも音声出力制御回路４０はＲＯＭ５１から読み出された音声データを基にスピーカ５６を駆動して撮影をスムーズに進行させる。
【００３６】
外部Ｉ／Ｆ４９は十字ボタン１２やシャッタレリーズボタン１３などの操作に応じて操作信号をＣＰＵ５３に入力させる。十字ボタン１２が操作された場合には上下左右それぞれの操作に応じた操作信号をＣＰＵ５３に入力させ、シャッタレリーズボタン１３が押圧された場合にはレリーズ信号がＣＰＵ５３に入力される。
【００３７】
圧縮／伸張エンジン４５では、ユーザによって指定されたモードで画像を印刷するために画像データを圧縮処理する。例えば、パスポート用の証明写真では縦４５ｍｍ横３５ｍｍとサイズが予め規定されており、このサイズに合わせて縦６３ｍｍ横４７ｍｍの画像をプリントするために画像処理回路で補正された画像データを圧縮処理する。他にもピザ用の証明写真や、免許証用の証明写真を取得する場合では、それぞれに合わせて画像データを圧縮処理する。
【００３８】
プリントエンジン４７では、圧縮／伸張エンジン４５で処理された画像データを基にラスタイメージが構築され、このラスタイメージに基づいて印刷用紙に画像が印刷される。印刷用紙には、例えば、パスポート用の証明写真を印刷する場合では、画像が５つ並べて印刷され、ビザ用の証明写真を印刷する場合では、画像が４つ並べて印刷される。画像が印刷された印刷用紙は乾燥室にて一定時間乾燥され、取り出し口１７に排出される。
【００３９】
表示制御回路３４は、スルー画像や、撮影で取得された画像データを基に形成された静止画像であるプレビュー画像を表示パネル７に表示させる他、表示パネル７をミュートさせる。表示パネル７がミュート制御されると表示パネル７は何も表示されない無表示状態となる。図３のタイミングチャートに示すように、表示制御回路３４はシャッタレリーズに応じて表示パネル７をミュートさせる。表示パネル７は、シャッタレリーズの後一定期間Ｔ０でミュート制御され、一定期間Ｔ０に続く第１の期間Ｔ１でプレビュー画像を表示する。そして第１の期間Ｔ１に続く第２の期間Ｔ２でミュート制御される。シャッタレリーズに応じてＣＣＤイメージセンサ２２からの画像信号を基に画像データの形成が開始され、シャッタレリーズ後の一定期間Ｔ０が終了するまでに画像データの形成が完了する。第２の期間Ｔ２で表示パネル７がミュートされた後、表示パネル７には次の撮影に備えて再びスルー画像が表示される。
【００４０】
タイマ回路３５には第１タイマ回路３６及び第２タイマ回路３８とが含まれており、図示しないタイミングジェネレータからのタイミング信号を基に時間を計時する。シャッタレリーズに応じて一定の期間Ｔ０のカウントが開始され、一定期間Ｔ０のカウントの終了に応じてカウント終了信号がＣＰＵ５３に入力される。これに応じてＣＰＵ５３から表示制御回路３４に切換信号が入力され、これに応答して表示制御回路３４は表示パネル７にプレビュー画像を表示させる。
【００４１】
第１タイマ回路３６では、一定期間Ｔ０のカウント終了に応じて第１の期間Ｔ１がカウントが開始される。第１の期間Ｔ１のカウント終了に応じて第１タイマ回路３６からはカウント終了信号がＣＰＵ５３に入力され、これに応じてＣＰＵ５３から表示制御回路３４に切換信号が入力される。表示制御回路３４は切換信号の入力に応じてプレビュー画像を表示パネル７に表示させる表示制御から表示パネル７をミュートさせるミュート制御に切り換わる。
【００４２】
第２タイマ回路３８では、第１の期間Ｔ１のカウント終了に応じて第２の期間Ｔ２のカウントが開始される。第２の期間Ｔ２のカウント終了に応じて第２タイマ回路３８からはカウント終了信号がＣＰＵ５３に入力され、これに応じてＣＰＵ５３から表示制御回路３４に切換信号が入力される。表示制御回路３４は、切換信号の入力に応じてミュート制御からスルー画像を表示パネル７に表示させる表示制御に切り換わる。
【００４３】
設定変更操作部５０は第１タイマ回路３６及び第２タイマ回路３８の計時時間の設定を変更する際に操作される。例えば、第１の期間Ｔ１を長くしてプレビュー画像をより長時間表示することでユーザにプレビュー画像をよりはっきりと確認させることができる。第２タイマ回路３８で計時される第２の期間Ｔ２は、第１の期間Ｔ１と同様に適宜設定変更することができる。例えば、第２の期間Ｔ２を長くして表示パネル７のミュートをより長時間にすることでユーザに撮影の終了を強く印象付けることができる。このように証明写真撮影装置２の管理者が設定変更操作部５０を操作することにより、証明写真撮影装置２の利便性を高めることができる。
【００４４】
表示制御回路３４はＲＯＭ５１に予め格納された警告表示データを読み出して、表示パネル７に警告を表示させることができる。第１、第２の期間Ｔ１，Ｔ２など操作が禁止された時間帯で十字ボタン１２などが操作された場合には、外部Ｉ／Ｆ４９から操作信号がＣＰＵ５３に入力され、これに応じて警告表示データがＲＯＭ５３から表示制御回路３４に入力される。表示制御回路３４は警告表示データに基づいて表示パネル７に警告を表示させる。
【００４５】
音声出力制御回路４０は第２の期間Ｔ２のカウント開始に応じてスピーカ５６を駆動させて効果音を外部に出力させる。これによって表示パネル７のミュートとともに効果音が外部に出力されてミュートの印象を強めることができ、１回の撮影の終了をより強く示唆することが可能となる。
【００４６】
上記構成の作用について図４のフローチャートを用いて説明する。ユーザによって証明写真撮影装置２に金銭が投入されると、スピーカ５６から音声ガイダンスが出力される。表示パネル７には、ＣＣＤイメージセンサ２２からの画像信号を基に生成されたフレーム画像が一定時間ごとに更新されるスルー画像が表示される。表示パネル７に表示されたスルー画像を見ながら配置などを調整してシャッタレリーズが実行されると、表示パネル７はミュートされる。一定期間Ｔ０だけミュートされると表示パネル７にはプレビュー画像が表示される。プレビュー画像は第１の期間Ｔ１だけ表示され、第１の期間Ｔ１が経過すると表示パネル７はミュートされ、このミュートは第２の期間Ｔ２の間だけ行われる。ミュートの最中はスピーカ５６から効果音が出力され、ミュートが強調される。第２の期間Ｔ２の経過後、表示パネル７にはスルー画像が再び表示され、次の撮影に備えられる。プレビュー画像の表示中もしくは表示パネル７のミュート中にユーザによって十字ボタン１２やシャッタレリーズボタン１３が操作された場合には表示パネル７に操作無効を示す警告が表示される。
【００４７】
このように、シャッタレリーズに応じて表示パネル７がミュートに切り換わり、さらに一定期間経過後ミュート状態からプレビュー画像に切り換わり、第１の期間の経過後プレビュー画像からミュート状態に切り換わることで、プレビュー画像が強調され、表示パネル７を見たユーザはよりはっきりとプレビュー画像を認識することができる。これによって撮影で取得した画像をはっきり識別でき、利便性の高い証明写真撮影装置２を提供することができる。
【００４８】
なお、この実施形態では、プレビュー画像を表示する前に表示パネル７をミュートさせたが、プレビュー画像の表示前の表示パネルの態様はこれに限らない。例えば表示パネルのミュートに代えて複数のフレーム画像からなるスルー画像のうち、シャッタレリーズ時のフレーム画像を表示パネルに一定期間停止表示させても構わない。プレビュー画像の前にフレーム画像を停止表示させることによっても、プレビュー画像を強調することができ、ユーザに撮影した画像の出来を容易にわからせることができる。
【００４９】
また、上記の実施形態では証明写真撮影装置２を例示したが、本発明はこれに限らず携帯型の撮影装置、例えばデジタルカメラや携帯電話などに実施してもよい。例えば、デジタルカメラには、前面に撮影レンズ、ストロボ発光部などが露呈し、背面には画像を表示する表示パネルとして液晶パネルが備えられている。この液晶パネルにはメニュー画像が表示され、ユーザによって指定されたモードに応じて画面が切り替る。デジタルカメラが撮影モードに設定されると液晶パネルにはスルー画像が表示され、シャッタレリーズに応じて液晶パネルが一定期間ミュートされる。ミュートされた後に液晶パネルにはプレビュー画像が第１の期間表示され、プレビュー画像の表示後、第２の期間で液晶パネルがミュートされる。液晶パネルのミュート後、次の撮影に備えるため液晶パネルにはスルー画像が表示される。このように撮影モード時にスルー画像の表示、ミュート、プレビュー画像の表示、ミュートの順に液晶パネルを制御することで、シャッタレリーズに応じた処理の終了をより確実に認識させることができる。なお、シャッタレリーズ直後のミュートの代わりにシャッタレリーズ時のフレーム画像を停止表示しても同様の効果が期待できる。
【００５０】
また、上記の実施形態では表示パネル７をミュートさせたが、本発明はこれに限らず、例えば表示パネル７をミュートさせる代わりに単色画像を表示パネル７に表示させても構わない。図５に示すように、証明写真撮影装置２には単色画像の色を設定するための表示色設定手段である色設定回路６８が備えられる。例えば管理者によって証明写真撮影装置２が設定変更モードに切り換えられ、十字ボタン１２の操作に応答して単色画像の設定色を変更する。設定色としては青色、赤色、灰色、白色などが予め用意されており、証明写真撮影装置２の設置環境に応じて管理者が色の設定を変更することで証明写真撮影装置２の利便性をより高めることが期待できる。第２の期間Ｔ２に単色画像を表示することでもプレビュー画像を強調することができ、ユーザにプレビュー画像を容易に確認させることができる。
【００５１】
次に本発明の第２実施形態について図６、図７を用いて説明する。図６に示すように、撮影システム７０には、カメラ装置７２、表示制御手段である制御装置７４、画像表示装置７６、プリンタ装置７８等を有し、カメラ装置７２と画像表示装置７６との通信は制御装置７４によって制御されている。カメラ装置７２には図示は省略するがＣＣＤイメージセンサ、信号処理回路、記憶メモリが備えられ、ＣＣＤイメージセンサからの画像信号を処理してＣＣＤ―ＲＡＷデータが形成され、ＣＣＤ―ＲＡＷデータが記憶メモリに記憶される。記憶メモリに記憶されたＣＣＤ―ＲＡＷデータは通信Ｉ／Ｆから制御装置７４側に送信される。
【００５２】
制御装置７４は通信Ｉ／Ｆ、記憶メモリ、操作装置、計時手段であるタイマ回路などを備え、ユーザの操作に応じてカメラ装置７２、画像表示装置７６、プリンタ装置７８を作動させる。操作装置にはレリーズボタン（図示省略）や各種操作ボタン（図示省略）が備えられ、レリーズボタンや各種選択操作ボタンの操作に応じて制御装置７４には操作信号が入力されるようになっており、ユーザによってレリーズボタンが押圧されるとこれに応じてカメラ装置７２が画像データの生成を開始する。画像表示装置７６は制御装置７４から入力される各種命令に応じて表示パネル８０の画像を切り換える。
【００５３】
プリンタ装置７８は圧縮処理回路やプリントエンジンを備え、ユーザの印刷操作に応じて画像を印刷用紙に印刷する。ユーザによって印刷指示がなされるとプリンタ装置７８に画像データが送信される。プリンタ装置７８に入力された画像データは圧縮処理回路で所定の画質に圧縮され、プリントエンジンでラスタイメージに変換される。このラスタイメージを基にして、例えば、印刷用紙として用いられた離型紙に複数の画像が並べて印刷される。
【００５４】
撮影システム７０の作用について図７のフローチャートを用いて説明する。ユーザの操作に応じて撮影が開始されると、制御装置７４から画像表示装置７６にミュート命令が送信される。これを受けて画像表示装置７６は表示パネル８０をミュートさせる。制御装置７４は画像表示装置７６から入力されるミュート開始信号を受けてカメラ装置７２に撮影準備命令を送信し、これに応じてカメラ装置７２は撮影の準備を開始し、撮影準備完了に伴い撮影準備完了信号を制御装置７４に送信する。カメラ装置７２は撮影準備完了信号の他、スルー画像データを制御装置７４に送信し、撮影準備完了信号の受信に応じて制御装置７４は画像表示装置７６にスルー画像表示命令及び、スルー画像データを送信する。画像表示装置７６は、表示パネル８０にスルー画像を表示し、制御装置７４にスルー画像表示開始信号を送信する。制御装置７４はスルー画像表示開始信号を受けて画像表示装置７６にミュート命令を送信し、これを受けて画像表示装置７６は表示パネル８０を第１の期間だけミュートさせ、ミュート開始信号を制御装置７４に送信する。
【００５５】
制御装置７４は、ミュート開始信号の受信に応じて静止画像取込命令をカメラ装置７２に送信する。これを受けてカメラ装置７２は被写体の撮影を開始し、カメラ装置７２内に設けられた記憶メモリにＣＣＤ―ＲＡＷデータを一時的に記憶する。カメラ装置７２からの静止画像取込完了信号を受信した制御装置７４は、カメラ装置７２に画像処理命令を送信し、カメラ装置７２は、ＣＣＤ―ＲＡＷデータ基にホワイトバランス、輪郭、色調などについて補正して画像データを生成して記憶メモリに一時的に格納し、制御装置７４に画像処理完了信号を送信する。制御装置７４は画像処理完了信号を受けて画像データ出力命令をカメラ装置７２に送信し、これに応答してカメラ装置７２は制御装置７４に画像データを送信する。
【００５６】
カメラ装置７２からの画像データを受信した制御装置７４は、静止画像表示命令、及び画像データを画像表示装置７６に送信し、これに応じて画像表示装置７６は画像データを基に表示パネル８０に静止画像を表示するための表示用データを形成して表示パネル８０に静止画像を第１の期間だけ表示させる。静止画像の表示に伴って画像表示装置７６から制御装置７４に静止画像表示開始信号が送信され、これに応じて制御装置７４はミュート命令を画像表示装置７６に送信する。画像表示装置７６はミュート命令に応じて表示パネル８０を第２の期間だけミュートさせる。ミュートの開始に応じて画像表示装置８０から制御装置７４にミュート開始信号が送信され、これを受けて制御装置７４はカメラ装置７２にスルー画像データ出力命令を送信する。カメラ装置はこれに応答してスルー画像データを制御装置７４に送信し、制御装置７４は受信したスルー画像データをスルー画像表示命令とともに画像表示装置７６に送信する。画像表示装置７６はスルー画像データを基に表示パネル８０にスルー画像を表示するとともにスルー画像表示開始信号を制御装置７４に送信する。
【００５７】
このように、表示パネル８０がスルー画像の表示、ミュート、静止画像の表示、ミュート、スルー画像の表示の順に切り替えられることで静止画像を強調することができ、これによって撮影で取得した画像をより確実にユーザに確認させることができる撮影システムを提供することができる。なお、上記ではスルー画像に続いて表示パネル８０をミュートさせたが、表示パネル８０のミュートの代わりにシャッタレリーズ時のフレーム画像を停止表示しても構わない。フレーム画像を停止表示した場合でも表示パネル８０をミュートさせた場合と同様の効果が期待できる。また、表示パネル８０のミュートの代わりに、例えば青色の単色画像を表示するようにしても構わない。単色画像を表示した場合でも表示パネル８０をミュートさせた場合と同様の効果が期待できる。
【図面の簡単な説明】
【００５８】
【図１】本発明の撮影装置である証明写真撮影装置を斜めから観察した部分説明図である。
【図２】証明写真撮影装置の電気的な構成を概略的に示したブロック図である。
【図３】撮影する際、表示パネル上に表示される画像を時系列に基づいて示したタイミングチャートである。
【図４】証明写真撮影装置を使用して撮影を実行した際のフローチャートである。
【図５】第２の期間で表示パネルに単色画像を表示する証明写真撮影装置のブロック図である。
【図６】撮影システム全体の構成を概略的にした全体図である。
【図７】カメラ装置、制御装置、及び画像表示装置の動作順序を示したフローチャートである。
【符号の説明】
【００５９】
２  証明写真撮影装置
７  表示パネル
２０  レンズ鏡筒
２２  ＣＣＤイメージセンサ
２４  信号処理回路
２６  ＳＤＲＡＭ
３４  表示制御回路（表示制御手段）
３５  タイマ回路（計時手段）
３６  第１タイマ回路
３８  第２タイマ回路
４０  音声出力制御回路（音声出力制御手段）
４３  色設定回路
５０  設定変更操作部（設定変更操作手段）
５１  ＲＯＭ
５３  ＣＰＵ
６８  色設定回路（表示色設定手段）
７０  撮影システム
７２  カメラ装置
７４  制御装置（表示制御手段）
７６  画像表示装置
８０  表示パネル
【図１】
2006217466.tif 000003
【図２】
2006217466.tif 000004
【図３】
2006217466.tif 000005
【図４】
2006217466.tif 000006
【図５】
2006217466.tif 000007
【図６】
2006217466.tif 000008
【図７】
2006217466.tif 000009